【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
チェンバ（５）と、空気用入口（８）と流体用入口（９）とを有する、前記チェンバ（５）への入口手段（７）と、
前記チェンバ（５）は、長さ方向に沿って多孔の内側パイプと長さ方向に沿って多孔の外側パイプとが同軸に配置された同軸パイプ組立体と、前記内側パイプと外側パイプとの間の管状のスペースに形成された混合室とを有し、
前記チェンバからあるいはチェンバを介する前記空気と流体の混合物の流れを、内側の細長いパイプ内にバックプレッシャを生成し水泡または気泡を生成するよう制御する流れ制御手段（６）と
を有することを特徴とする気泡生成ユニット。
【請求項２】
前記チェンバは出口（２４）を有し、
前記流れ制御手段は、前記空気と水の入口手段（７）からの流れ又は前記出口（３４）からの流れを制御する
ことを特徴とする請求項１記載の気泡生成ユニット。
【請求項３】
前記流れ制御手段は前記外側パイプの長さ方向に沿って伸びる通気層を有し、前記チェンバからの前記空気と流体の混合物の通過を制御する
ことを特徴とする請求項１又は２のいずれかに記載の気泡生成ユニット。
【請求項４】
前記通気層はフレキシブルな開放セルのプラスティック製発泡体又は他の空気透過材料を含む
ことを特徴とする請求項３記載の気泡生成ユニット。
【請求項５】
前記通気層は前記外側パイプの周りにらせん状に巻かれている
ことを特徴とする請求項３又は４のいずれかに記載の気泡生成ユニット。
【請求項６】
前記通気層は前記外側パイプの周りにらせん状に巻かれている
ことを特徴とする請求項３又は４のいずれかに記載の気泡生成ユニット。
【請求項７】
前記チェンバは、出口（２４）を有し、
前記流れ制御手段は、前記空気と水の入口手段（７）からの流れ又は前記出口（３４）からの流れを制御する
ことを特徴とする請求項１又は２のいずれかに記載の気泡生成ユニット。
【請求項８】
前記流れを制御手段は、前記チェンバ内に複数の要素を有し、
前記複数の要素は、複数の球状部材（２８）又は他の形状の部材を有し、
前記複数の要素は、前記混合室（２６）を充填する
ことを特徴とする請求項７に記載の気泡生成ユニット。
【請求項９】
前記複数の要素は、前記チェンバを部分的にのみ充填し、
前記複数の要素は、前記チェンバ内で自由に動け、
前記流体と空気は、前記チェンバ内で混合して水泡を生成する
ことを特徴とする請求項８記載の気泡生成ユニット。
【請求項１０】
前記チェンバの出口は、前記チェンバの壁の開口あるいはスロットを含み、
前記チェンバの出口は、前記チェンバ内で混合された空気と水が、前記チェンバから、気泡または水泡の形態で出ていく
ことを特徴とする請求項１又は２のいずれかに記載の気泡生成ユニット。
【請求項１１】
前記出口は、透過性材料製であり、
前記透過性材料は、固体発泡体を含み、
前記個体発泡体は、有機あるいは他の材料製の開放セルの固体発泡体である
ことを特徴とする請求項１０記載の気泡生成ユニット。
【請求項１２】
前記透過材料は、その透過率を変化できるよう選択的に圧縮される
ことを特徴とする請求項１１記載の気泡生成ユニット。
【請求項１３】
ノズルを有する気泡生成ユニットにおいて、
前記ノズルは、流体と空気が供給されるハウジングを有し、
前記ハウジングは、固体透過材料により制限された出口を有し、
前記ノズルは、前記気泡生成ユニットを通るあるいはそこからの空気と流体の流れを制御し、水泡を生成する
前記固体透過材料は、透過材料の層の形態で提供される
ことを特徴とする気泡生成ユニット。
【請求項１４】
前記透過材料は、小孔のあいた部材を含む
ことを特徴とする請求項１３に記載の気泡生成ユニット。
【請求項１５】
前記泡は、植物の生成を促す植物栄養素を含む泡である
ことを特徴とする請求項１−１４のいずれかに記載の気泡生成ユニット。
【請求項１６】
植物を栽培する装置において、
（Ａ）気泡生成ユニットと、
前記気泡生成ユニットは、軸と、前記軸の周りに伸び、反対側に軸方向に離間した端部を有する周辺壁と、
前記周辺壁をその対向側で封止する端部壁とを有し、
前記周辺壁と端部壁が、前記気泡生成ユニットを形成し、その内部に空気と流体を収納し、
（Ｂ）前記周辺壁から外側に伸びる複数の突起部と、
（Ｃ）根区画室と、
前記根区画室と上部壁と底部壁と側面壁とを有し、少なくとも１つの壁は前記突起部に適合するような突起部を有し、前記突起部は、周辺壁から伸び、前記上部壁は植物を受け入れる開口を有し、
（Ｄ）前記気泡生成ユニットから、前記根区画室への空気と流体の流れを制御する手段と、
を有し、
これにより、植物の栽培を促す植物用栄養素を含む水泡を生成する
ことを特徴とする植物を栽培する装置。
【請求項１７】
前記周辺壁は、多角形又は円筒形状である
ことを特徴とする請求項１６記載の装置。
【請求項１８】
前記周辺壁は、多角形あるいは円筒形のいずれかである
ことを特徴とする請求項１６又は１７のいずれかに記載の装置。
【請求項１９】
前記気泡生成ユニットは、前記端部壁から外側に伸びる突起部を更に有し、そこに空気と水を収納し、
前記突起部は、垂直方向に配置された植物栽培装置を搭載する
ことを特徴とする請求項１６−１８のいずれかに記載の装置。
【請求項２０】
前記突起部は、植物栽培装置を回転させるようカローセルに搭載される
ことを特徴とする請求項１９記載の装置。
【請求項２１】
前記植物栽培装置の側面端部に反射板が設けられ、これにより植物の生長を促すよう光を反射させ、
植物の栽培を促すような光源を更に有する
ことを特徴とする請求項１６−２０のいずれかに記載の装置。
【請求項２２】
前記植物の根を収納する根区分室と、
前記根区分室に水泡を供給する手段と、
を有し、
前記水泡は、植物の植物用栄養素を含む
ことを特徴とする請求項２１記載の装置。
【請求項２３】
栄養素の溶剤と泡形成剤から水泡を生成する気泡生成ユニットを更に有し、
前記泡形成剤は、溶融可能な有機乳化剤を含む
ことを特徴とする請求項２２記載の装置。
【請求項２４】
植物を栽培する装置において、
パイプの形態の細長いチェンバと、
前記チェンバ内を伸びる気泡生成ユニットと、
植物が生長し配置される、前記チェンバ内の複数の開口と、
を有し、
前記気泡生成ユニットは、栄養剤と泡形成剤からの水泡を提供し、
前記水泡は、前記植物の生長を促すよう植物に供給される
ことを特徴とする植物を栽培する装置。
【請求項２５】
前記気泡生成ユニットは、前記チェンバの外部に配置され、
前記水泡は、前記チェンバ内に伸びるフィードチューブにより供給される
前記チェンバは、水平方向あるいは垂直方向に配置されている
ことを特徴とする請求項２４記載の装置。
【請求項２６】
前記チェンバが垂直方向に配置された場合には、前記チェンバは、複数の個別の区画室により規定され、
前記気泡生成ユニットは、前記区画室内を伸びるあるいはその中に配置され、
前記気泡生成ユニットは、外部に配置される
ことを特徴とする請求項２５記載の装置。
【請求項２７】
前記チェンバは、垂直軸に沿って回転可能なカローセル上に搭載される
ことを特徴とする請求項２４−２６のいずれかに記載の装置。
【請求項２８】
上部が開いたトレイと、
前記トレイを貫通して伸び、泡を供給する気泡生成ユニットと
を更に有する
前記トレイは、水平軸の周りを回転するフレーム上に搭載され、
回転手段が、前記トレイが回転中水平方向を向いているように、支持している
前記気泡生成ユニットは、前記トレイの底に配置される
ことを特徴とする請求項２４−２７のいずれかに記載の装置。